(57)【要約】      （修正有）【課題】米袋のような相当の重量を有する荷物を簡単にかつ低労力で持ち上げ、運搬することができ、積み上げることができる装置、しかも床面や空間の占有が極力少ない装置を提供する。【解決手段】荷物移動装置１０は、トロリー型チェンブロック（チェンブロック）１と、取り付けられるチェンブロック１を横方向にスライド移動させることができ、移動対象荷物の運搬経路をなすためのレール構造２と、移動対象荷物を下方から支持するための荷物支持体３とからなり、荷物支持体３は、移動対象荷物を載置する載置部５を有する本体４に該チェンブロック１による吊り上げ用の吊り上げ部６が設けられてなる構成とする。【選択図】図１
0003225090.tif 000002
【実用新案登録請求の範囲】
【請求項１】
トロリー型チェンブロック（以下、単に「チェンブロック」という）と、
取り付けられる該チェンブロックを横方向にスライド移動させることができ、移動対象荷物の運搬経路をなすためのレール構造と、
移動対象荷物を下方から支持するための荷物支持体とからなる荷物移動装置であって、
該荷物支持体は、移動対象荷物を載置する載置部を有する本体に該チェンブロックによる吊り上げ用の吊り上げ部が設けられてなる
ことを特徴とする、荷物移動装置。
【請求項２】
前記載置部はフォークであることを特徴とする、請求項１に記載の荷物移動装置。
【請求項３】
移動前の移動対象荷物を載置するための専用台を備えていることを特徴とする、請求項１、２のいずれかに記載の荷物移動装置。
【請求項４】
前記専用台には、載置された移動対象荷物を前記荷物支持体が下方から持ち上げやすいよう、該荷物支持体の抜き差し可能な凹状構造が設けられていることを特徴とする、請求項３に記載の荷物移動装置。
【請求項５】
前記載置部はフォークであって、前記凹状構造は該フォークの歯状部と同数以上設けられていることを特徴とする、請求項４に記載の荷物移動装置。
【請求項６】
前記荷物支持体には取っ手が設けられていることを特徴とする、請求項１、２、３、４、５のいずれかに記載の荷物移動装置。
【請求項７】
前記取っ手が前記本体の左右両側に設けられていることを特徴とする、請求項６に記載の荷物移動装置。
【請求項８】
前記荷物支持体に本荷物移動装置の使用者がその動作を制御するための制御部が設けられていることを特徴とする、請求項１、２、３、４、５、６、７に記載の荷物移動装置。
【請求項９】
前記本体上における前記吊り上げ部の位置を調整可能な位置調整構造が設けられていることを特徴とする、請求項１、２、３、４、５、６、７，８のいずれかに記載の荷物移動装置。
【請求項１０】
前記荷物支持体は略Ｖ字状の側面形状を有することを特徴とする、請求項１、２、３、４、５、６、７、８、９のいずれかに記載の荷物移動装置。
【請求項１１】
前記レール構造は建物の天井に設けられていることを特徴とする、請求項１、２、３、４、５、６、７、８、９、１０のいずれかに記載の荷物移動装置。
【請求項１２】
米袋、またはその他の農産物を収容した袋の移動用であることを特徴とする、請求項１、２、３、４、５、６、７、８、９、１０、１１のいずれかに記載の荷物移動装置。
【考案の詳細な説明】
【技術分野】
【０００１】
本考案は荷物移動装置に係り、特に、米袋などの荷物の持ち上げ、運搬、積上げ作業に便利な荷物移動装置に関する。
【背景技術】
【０００２】
選別計量後の玄米袋（現３０ｋｇ）の運搬およびパレット積みは、従前は１袋ずつ作業者が手で運んで行われていたが、かかる運搬作業はかなりの重労働である。特に収穫時期である秋季は、連日相当数の米袋を持ち上げ、運搬、積上げをする作業を行わなくてはならなかった。そのために、腰痛などの身体的な不調を起こす作業者も少なくなかった。また、個人の精米所や籾摺り工場では、人材不足のため、米袋を運搬する作業者（手伝い人）を一定期間雇うことも難しい。そこで、袋取りから運搬、パレット積みといった全ての作業を、できるだけ一人で、しかも自由な時間に作業したいという要望も多かった。
【０００３】
このような状況を踏まえ、身体的に負担なく一人で行うことができ、簡単かつ楽に、米袋を運搬することのできる機械が種々開発され、提供されてきた。その一つは、米袋持ち上げ型の機械である。これは、米袋を機械の台に載せると人間の肩の高さまで台が上がるという仕組みであり、主に米袋を持ち上げる作業の負担を解消するために開発されたものである。また、クレーン吊り上げ型の機械もあるが、これは設置されたクレーンで米袋を吊り上げて持ち上げ、運搬、パレット積みまでを行える機械である。
【０００４】
米袋の運搬機械に関してはその他、複数の特許出願等もなされている。たとえば後掲特許文献１には、作業性および作業能率が良く、小型化、低コスト化が可能な装置として、装置本体に対して２個の突出片を備えた突出端が低位置から水平位置に亘って回動可能な状態で傾斜配置に取り付けられた荷上げ体と、各突出片上に垂直に配置される施封前の荷を検出する第１検出手段と、荷上げ体の傾斜面への荷の接触を検出する第２検出手段と、各検出結果を基に荷上げ体の持ち上げ等の駆動を行う駆動手段を備えた構成が開示されている。
【０００５】
また、特許文献２には、米袋運搬用の２輪運搬用荷車にリフト機構が備えられた構成が開示されており、立てた状態の米袋をリフト機構によってリフトアップすると、最終的には寝させた状態に載置され、積み下ろしの作業負担を大幅に軽減できるとしている。
【先行技術文献】
【特許文献】
【０００６】
【特許文献１】特開平７−１５７２９４号公報「荷持ち上げ装置」
【特許文献２】特許第５３７３２１１号公報「リフト付２輪運搬機」
【考案の概要】
【考案が解決しようとする課題】
【０００７】
さて、上述の米袋持ち上げ型の機械は、ただ単に米袋を持ち上げるだけの機能であり、運搬やパレットへの積上げ作業は結局、人手で行わなければならない。また、本体を地面に据え置くために床面を占有する、空間を占有するという欠点もある。この点はクレーン吊り上げ型の機械も同様であり、クレーン本体の場所の占有が問題となる。しかもクレーン吊り上げ型には、米袋をその両側から掴むキャッチャーが、パレットへの積み上げ時に他の米袋に接触するために掴んでいる米袋を離しにくくなり、無理に動かすと袋が破損するという問題点もある。
【０００８】
また、上記各文献開示技術は基本的に米袋持ち上げ型であり、運搬や積み上げ作業は人手によるしかない。米袋のような相当の重量を有する荷物を簡単にかつ低労力で持ち上げ、運搬することができ、積み上げることができる装置、しかも、床面や空間の占有が極力少ない装置が求められている。
【０００９】
そこで本考案が解決しようとする課題は、かかる従来技術の問題点をなくし、米袋のような相当の重量を有する荷物を簡単にかつ低労力で持ち上げ、運搬することができ、積み上げることができる装置、しかも、床面や空間の占有が極力少ない装置を提供することである。
【課題を解決するための手段】
【００１０】
考案者は、上記課題について検討した結果、荷物を下から掬い上げるようにして保持可能な荷物支持体を考案し、これを上方に設置したレール構造から吊り下げたトロリー型チェンブロックにより吊り上げ、上下左右自在に動かせるようにすることで課題解決できることに想到し、それに基づいて本考案を完成するに至った。すなわち、上記課題を解決するための手段として本願で実用新案登録請求される考案、もしくは少なくとも開示される考案は、以下の通りである。
【００１１】
〔１〕  トロリー型チェンブロック（以下、単に「チェンブロック」という）と、
取り付けられる該チェンブロックを横方向にスライド移動させることができ、移動対象荷物の運搬経路をなすためのレール構造と、
移動対象荷物を下方から支持するための荷物支持体とからなる荷物移動装置であって、
該荷物支持体は、移動対象荷物を載置する載置部を有する本体に該チェンブロックによる吊り上げ用の吊り上げ部が設けられてなる
ことを特徴とする、荷物移動装置。
〔２〕  前記載置部はフォークであることを特徴とする、〔１〕に記載の荷物移動装置。
〔３〕  移動前の移動対象荷物を載置するための専用台を備えていることを特徴とする、〔１〕、〔２〕のいずれかに記載の荷物移動装置。
〔４〕  前記専用台には、載置された移動対象荷物を前記荷物支持体が下方から持ち上げやすいよう、該荷物支持体の抜き差し可能な凹状構造が設けられていることを特徴とする、〔３〕に記載の荷物移動装置。
〔５〕  前記載置部はフォークであって、前記凹状構造は該フォークの歯状部と同数以上設けられていることを特徴とする、〔４〕に記載の荷物移動装置。
【００１２】
〔６〕  前記荷物支持体には取っ手が設けられていることを特徴とする、〔１〕、〔２〕、〔３〕、〔４〕、〔５〕のいずれかに記載の荷物移動装置。
〔７〕  前記取っ手が前記本体の左右両側に設けられていることを特徴とする、〔６〕に記載の荷物移動装置。
〔８〕  前記荷物支持体に本荷物移動装置の使用者がその動作を制御するための制御部が設けられていることを特徴とする、〔１〕、〔２〕、〔３〕、〔４〕、〔５〕、〔６〕、〔７〕に記載の荷物移動装置。
〔９〕  前記本体上における前記吊り上げ部の位置を調整可能な位置調整構造が設けられていることを特徴とする、〔１〕、〔２〕、〔３〕、〔４〕、〔５〕、〔６〕、〔７〕、〔８〕のいずれかに記載の荷物移動装置。
〔１０〕  前記荷物支持体は略Ｖ字状の側面形状を有することを特徴とする、〔１〕、〔２〕、〔３〕、〔４〕、〔５〕、〔６〕、〔７〕、〔８〕、〔９〕のいずれかに記載の荷物移動装置。
〔１１〕  前記レール構造は建物の天井に設けられていることを特徴とする、〔１〕、〔２〕、〔３〕、〔４〕、〔５〕、〔６〕、〔７〕、〔８〕、〔９〕、〔１０〕のいずれかに記載の荷物移動装置。
〔１２〕  米袋、またはその他の農産物を収容した袋の移動用であることを特徴とする、〔１〕、〔２〕、〔３〕、〔４〕、〔５〕、〔６〕、〔７〕、〔８〕、〔９〕、〔１０〕、〔１１〕のいずれかに記載の荷物移動装置。
【考案の効果】
【００１３】
本考案の荷物移動装置は上述のように構成されるため、これによれば、米袋のような相当の重量を有する荷物を簡単に、かつ低労力で持ち上げたり運搬したり、また、積み上げたりすることができる。作業人数は一人だけとすることが可能である。しかも、基本的に床面や地面に設置される要素がないため、床面等を占有せず、また空間全体の占有も最小限とすることができる。特に、天井にレール構造を有する形態の本考案装置では、かかる床面や空間の占有がほとんど無い。
【００１４】
なお本考案は、米袋の持ち上げ・運搬等における不便解消を端緒として完成したが、本考案装置が対象とする荷物は米袋には限定されない。人力で行うには相当の労力がかかる重量を有する荷物であって、その持ち上げや、運搬や、積み上げなどに便利な対象である限り、本考案が適用対象とする荷物の種類は限定されない。
【００１５】
本考案装置に係るチェンブロックとしては電動式のもの（以下、「電動チェンブロック」）を好適に用いることができる。本考案においてもこれを主として説明するが、電動式であることにより、米袋等の荷物の持ち上げ（垂直方向の直線運動移動）、運搬（水平・横方向の直線運動）、積み上げ（垂直方向の直線運動など）といった負荷のかかる作業を人力ではなく動力にて行うことができ、作業者の労力はほどんど不要である。
【００１６】
また、凹状構造のある専用台を備えた本考案装置によれば、専用台上に載置した荷物の下方から荷物支持体を差し入れることで荷物を容易に荷物支持体上に保持することができ、専用台上への載置以降、荷物の重量が作業者の負担になることがない。すなわち作業者の労力軽減という本考案の効果を、かかる構成によってさらに高めることができる。
【００１７】
また、荷物支持体が取っ手付きである構成の本考案装置によれば、荷物支持体に保持した荷物の持ち上げ、運搬、積み上げの全般に亘り、ただ一人の作業者が取っ手を把持して荷物支持体の姿勢を維持しつつ、誘導することができ、最小限の人数によって、楽に、低労力で作業を行うことができる。
【図面の簡単な説明】
【００１８】
【図１】本考案荷物移動装置の基本構成を概念的に示す側面視の説明図である。
【図２】本考案荷物移動装置の作用を概念的に示す側面視の説明図である。
【図３】専用台を備えた本考案荷物移動装置の作用を概念的に示す上面視の説明図である。
【図４】本考案荷物移動装置の作用を概念的に示す側面視の説明図である。
【図５】本考案荷物移動装置の実施例を示す斜視図である。
【図６】本考案荷物移動装置の実施例を示す側面図である。（以下は、該実施例の使用方法を示す写真図である。）
【図７】荷物移動装置の荷物支持体を専用台に載置した状態を示す。
【図８】専用台に荷物（米袋）を載置した状態を示す。
【図９】専用台に載置された荷物（米袋）の下に荷物移動装置の載置部（フォーク）を差し入れた状態を示す。
【図１０】チェンブロックにより吊り上げられた状態の荷物載置済み荷物支持体を示す。
【図１１】取っ手を複数有する本考案荷物移動装置の要部構成を概念的に示す説明図であり、図中（ａ）は上面視、（ｂ）は側面視の説明図である。
【考案を実施するための形態】
【００１９】
以下、図面により本考案を詳細に説明する。
図１は、本考案荷物移動装置の作用を概念的に示す側面視の説明図である。また図２は、本考案荷物移動装置の作用を概念的に示す側面視の説明図である。これらに図示するように本荷物移動装置１０は、トロリー型チェンブロック（チェンブロック）１と、取り付けられるチェンブロック１を横方向にスライド移動させることができ、移動対象荷物（単に「荷物」ともいう）Ｌの運搬経路をなすためのレール構造２と、移動対象荷物Ｌを下方から支持するための荷物支持体３とからなり、荷物支持体３は、移動対象荷物Ｌを載置する載置部５を有する本体４に該チェンブロック１による吊り上げ用の吊り上げ部６が設けられてなることを、主たる構成とする。なお、載置部５は後述するように、フォークとすることができる。
【００２０】
かかる構成により本荷物移動装置１０は、図２に示す通り、まず荷物Ｌが荷物支持体３の載置部５上に載置され（図中（ａ））、その後、吊り上げ部６にチェンブロック１の吊り上げ用部位１Ｊが掛けられ、チェンブロック１の作動、すなわち昇降移動Ｖによって上方へと吊り上げられる（図中（ｂ））。なお、チェンブロック１は、上昇・下降を自在に制御することのできる電動式のものを用いることが好ましい。
【００２１】
このようにして、荷物Ｌは荷物支持体３の載置部５に載置され、下方から支持された状態が保持されたまま、人力によらずに吊り上げられる。吊り上げられた荷物Ｌの載置された荷物支持体３は、レール構造２上でチェンブロック１が横方向にスライド移動Ｈすることによって横方向に移動する（図１）。レール構造２は荷物Ｌの運搬経路をなすよう形成されているため、荷物Ｌはチェンブロック１−荷物支持体３の横方向移動Ｈによってレール構造２＝運搬経路に沿い移動し、人力を要せずに所望の運搬がなされる。
【００２２】
レール構造２は上方に設けられ、床面や地面を占有することがない。また、チェンブロック１や荷物支持体３も床面や地面を占有するように固定されるものではなく、さほど場所を取らない。したがって本考案装置１０は床面や地面をほとんど占有することが無く、空間の占有も少なくすることができる。
【００２３】
レール構造２は、本考案装置１０による荷物Ｌの持ち上げの場所、最終的に積み上げ・保管しておく場所の間の運搬経路をなすように設けられる。レール構造２は、荷物Ｌの持ち上げ・運搬・保管が建物内ですべて行われる場合、建物の天井に設けるものとすることができる。かかる構成により、空間の占有も最小限にすることができる。
【００２４】
本考案荷物移動装置１０を構成するチェンブロック１およびレール構造２は、天井クレーンとすることができる。すなわち、建物天井に設けられた移動式クレーンであり、駆動方式としては電動式が中心である。これによれば、吊り上げた荷物Ｌの横方向移動を、正に人力を要することなく、自在に運搬することができる。なお、天井クレーンは屋内設置に限定されない。屋外であっても同様の形状であれば天井クレーンであり、本考案の範囲内に属する。
【００２５】
一方、本考案荷物移動装置１０を構成するチェンブロック１およびレール構造２は、これを天井クレーン方式とすることには限定されない。吊り上げられた荷物Ｌを支持する荷物支持体３を、人の手によって横方向移動させる方式であっても本考案の範囲内である。この場合、多少の人力は要するものの、荷物Ｌの吊り下げ自体は装置１０によりなされており、ただ横方向への押し引きを行えばよい。
【００２６】
図３、４は、専用台を備えた本考案荷物移動装置の作用を概念的に示す、それぞれ上面視、側面視の説明図である。既に述べたように本考案装置の荷物支持体３３の載置部はフォークとすることができる。図において、載置部３５はフォークの歯状部であり、かかる歯状部（３５）が複数本備えられてフォークが構成されている。なお、歯状部（３５）の数は図示する３本に限定されず、実施例に後述するように２本でも、また４本以上であってもよい。
【００２７】
図示するように本考案装置は、移動前の移動対象荷物Ｌを載置するための専用台３７を備えた構成とすることができる。専用台３７には、載置された荷物Ｌを荷物支持体３３が下方から持ち上げやすいよう、荷物支持体３３の抜き差し可能な凹状構造３８が設けられた構成（図３中（ａ））とすることができる。
【００２８】
かかる構成により、専用台３７上に荷物Ｌが載置された状態（図４中（ａ））で、荷物支持体３３が凹状構造３８に差し込まれ（図４中（ｂ）、図３中（ｂ））、その後荷物支持体３３が上方に吊り上げられることにより載置部３５は下方から荷物Ｌを支持してこれが自身（載置部３５）の上に載置された状態とし、引き続き吊り上げられることによって荷物Ｌは荷物支持体３３により押し上げ支持された状態が維持されて持ち上げられる。
【００２９】
本考案装置では、荷物Ｌを掴んだり、直接引っ張り上げたりするのではなく、下方から支持して押し上げる方式であり、荷物Ｌを破損させずに取り扱うことができる。
【００３０】
専用台３７は、その上に移動対象荷物Ｌを載置できる強度やサイズである限り、その具体的仕様は限定されない。その凹状構造３８も、荷物支持体３３の載置部３５を抵抗なく抜き差しできる形態である限り、具体的仕様は限定されない。なお、図３、４に示すように荷物支持体３３の載置部がフォークである場合は、凹状構造３８はフォークの歯状部３５と同数以上設けることとする。それにより、フォークによる荷物Ｌの下方からの押し上げ支持を、安定した状態で確実に行うことができる。
【００３１】
なお、荷物支持体の載置部がフォークの形態ではない場合も、本考案の範囲内である。すなわち、歯状部のない平板状の載置部の場合である。この場合も、載置部を抵抗なく抜き差しできる凹状構造を設けた専用台とすることにより、専用台上に載置された荷物を下方から押し上げて、持ち上げることが可能である。
【００３２】
本考案荷物移動装置は、持ち上げ・運搬・積み上げ（保管）作業において人手による労力を無くしたい、または軽減したいあらゆる荷物をその適用対象とすることができる。しかし取り分け、米袋、またはその他の農産物を収容した袋の持ち上げ・運搬・積み上げ（保管）用として好適に用いることができる。
【実施例】
【００３３】
以下、本考案の実施例を説明するが、本考案がかかる実施例に限定されるものではない。
＜実施例  ３０ｋｇ米袋簡易吊り上げ・移動装置＞
建物の構造体にスライド移動型レール（レール構造）を設備し、トロリー型電動チェンブロックをこれに吊り下げて天井クレーンを構成し、チェンブロックのフックにフォークを備えた荷物支持体（以下、単に「フォーク」ともいう。）を脱着可能に装着し、吊り上げ・移動装置とした。電動チェンブロックの昇降移動とレール上の横方向移動により、上下左右自在に、米袋を担いだフォークを移動できる装置である。
【００３４】
取り扱い対象荷物が３０ｋｇの米袋であることに鑑み、フォークおよび専用台の材質は全て鉄製とした。これにより、３０ｋｇの米袋を載置し、保持する強度は十分であり、使用によるフォークの曲がり等の変形を十分に防止し、耐久性よく使用することができる。また、フォークは米袋の荷重をバランスよく持ち上げられるような形状とし、また、紙製の米袋を傷つけないよう先端部分を丸く仕上げて塗装した。
【００３５】
図５、６はそれぞれ、本考案荷物移動装置実施例の構成を示す斜視図、側面図である。これらに示すように実施例装置の荷物支持体５３には、取っ手５９を設けた。作業者は、専用台への差し込みの際も、荷物を吊り上げる際も、またレールに沿って荷物を目的場所まで横移動させる際も、取っ手５９を把持した状態で荷物支持体（フォーク）５３を取り扱うことができる。取っ手５９があることにより、フォーク５３上への荷物載置後の全てを装置に任せきるのではなく、終始フォーク５３に手を添えていることができ、作業上の安心感や確実性を保つことができる。
【００３６】
各図に示すように本実施例装置の荷物支持体（フォーク）５３は、略Ｖ字状の側面形状を有する形態とした。かかる形態は、３０ｋｇ米袋を運搬するのに適したバランスを有している。本実施例に限らず、荷物支持体は、取り扱い対象の荷物に合わせて荷重バランスを考慮した形態に設計することが、本装置使用上より好ましい。本実施例では、フォーク５３に載置した米袋に手を添えるだけでこれを持ち上げることができ、フォーク５３の取っ手５９を掴み、クレーン操作と合わせて、米袋を目的の場所に移動することができる。
【００３７】
各図に示すように本実施例装置の荷物支持体（フォーク）５３には、本体５４上における吊り上げ部５６の位置を調整可能な位置調整構造５６Ｐ、５６Ｐ、・・・を設けた。これにより、荷物（米袋）の吊り上げの際のバランスをよりよいバランスに調整することが可能である。つまり、吊り上げ部５６を、最もよいバランスとなる位置調整構造５６Ｐに取り付け、チェンブロックによる吊り上げに供すればよい。
【００３８】
なお、図示するように本実施例に係る位置調整構造５６Ｐはフォーク５３の本体５４に設けられた穴であり、これを、非連続的（段階的）な調整が行えるように複数個備えた。しかし、本考案装置に係る位置調整構造の具体的な形態はこれに限定されない。たとえば、穴ではなく長い溝として、連続的な調整を行えるようにするなど、別形態の場合でも、それによって吊り上げ部の位置調整が可能である限り、本考案の範囲内である。
【００３９】
以下、本実施例装置の使用方法を、写真図を用いて説明する。
図７は、フォーク５３を専用台５７に載置した状態を示す。図示するように、専用台５７の上面には米袋の底面にフォーク５３を差し込めるよう、角パイプが３本取付けられていて、凹状構造５８、５８が形成されている。これにより、荷物Ｌの載置された専用台５７（後掲図８）に対してフォーク５３を抵抗なく抜き差しすることができる。
【００４０】
図８は、専用台に荷物（米袋）を載置した状態を示す。ここではまだフォークは差し込まれていない。図示するように、専用台５７の上に荷物（米袋）Ｌを載置した状態で、凹状構造５８、５８にはフォーク５３が差し込み可能であることがわかる。
【００４１】
図９は、専用台に載置された荷物（米袋）の下に荷物移動装置の載置部（フォーク）を差し入れた状態を示す。取っ手５９を把持して、フォーク５３を差し込めばよい。こうして荷物（米袋）Ｌがフォーク５３に載置、支持された状態で、その後、チェンブロックが吊り上げ部５６に取り付けられ、上昇操作による吊り上げがなされる。
【００４２】
図１０は、チェンブロックにより吊り上げられた状態の荷物載置済み荷物支持体を示す。図示するように、フォーク５３は荷重バランスを考慮して設計された形態であり、米袋Ｌは手を添えるだけで持ち上げられ、フォーク５３の取っ手５９を掴んで、クレーン操作と合わせ米袋Ｌを目的の場所に移動することができる。なお、取っ手５９の把持は任意だが、要所で手を添えれば、作業の確実性や安心感を得られる。
【００４３】
本実施例装置によれば、米袋を移動して目的の場所に置いたり、積み重ねたりする時に、袋に抵抗なくフォークを引き抜くことができる。したがって、米袋を既に積まれている二つの米袋の間に置く場合も、またパレットに積み重ねる場合も、簡単かつ迅速に行える。また、米袋の持ち上げ・運搬・積み上げ作業に人力は実質的に一切必要なく、しかも全ての作業を一人で行うことができる。また、固定構造物は天井クレーンであるため、床面の場所もほとんど占有することがない。
【００４４】
なお、本考案荷物移動装置の別構成例について説明する。
図１１は、取っ手を複数有する本考案荷物移動装置の要部構成を概念的に示す説明図であり、図中（ａ）は上面視、（ｂ）は側面視の説明図である。図示するように本例の荷物移動装置６１０は、取っ手６９が荷物支持体６３の本体６４の左右両側に設けられている構成である。かかる構成の本例荷物移動装置６１０を用いる場合、作業者は自動車のハンドルを握るように、左右の両取っ手６９、６９にそれぞれ左手、右手によって把持して本装置６１０を取り扱うことができる。なお図では、載置部６５がフォークである構成例を示すが、これには限定されない。また、本図はあくまでも概念的な説明図であり、取っ手６９、制御部６１１その他の形状・配置・サイズなど具体的構造は本図に限定されず、任意に設計可能である。
【００４５】
取っ手６９、６９を左右の手で把持して荷物支持体６３を左右から支持できることにより、本装置６１０をより安定的に姿勢保持して取り扱うことができる上、上下移動や水平移動させる際、所定位置に荷物を載置させる際の取り扱いも、より楽に、簡単に行うことができるようになる。特に本考案装置が適用対象として想定する、米袋等の相当重量の荷物の運搬・積み上げには、より便利である。
【００４６】
図示するように本荷物移動装置６１０にはさらに、本体６４に本装置を使用する作業者がその動作を制御するための制御部６１１が設けられている構成とすることもできる。制御部６１１は最低限、本装置６１０の荷物支持体６３をチェンブロック（図示せず）によって上下移動させる場合の入力を作業者が行える構成とすることができる。すなわち、制御部６１１の所定の入力部（ボタンなど）に対して作業者が入力する（ボタンを押す、など）ことにより、チェンブロックを駆動し、チェンブロックにより吊り下げられている荷物支持体６３の上下駆動を行わしめることができる。制御部６１１にさらに制御機能を付加することは任意に設計可能である。
【００４７】
図示するように制御部６１１は本体６４の上部に設ける構成とすることができる。かかる構成とすることにより、作業者は、自動車のハンドルを握るような感覚で本装置６１０の荷物支持体６４を両手により左右から保持しつつ、本体６４上部に設けられた制御部６１１を操作することができ、便利である。あたかも、ゲーム機のコントローラを取り扱うような感覚で操作することができる。
【００４８】
なお、図１１により示した取っ手を複数有する本考案装置構成例に限らず、本考案荷物移動装置は、荷物支持体上に上述の制御部を設けた構成とすることができる。図１１の例のように本体上に設けることが望ましいが、吊り上げ部に設けることも本考案からは排除されない。
【産業上の利用可能性】
【００４９】
本考案の荷物移動装置によれば、米袋のような相当の重量を有する荷物を簡単に、かつ低労力で持ち上げたり運搬したり、積み上げたりすることができ、また、作業人数は一人だけとすることが可能であり、実用性が高い。したがって、荷物の運搬・保管を要するすべての分野、および関連する全分野において、産業上利用性が高い考案である。
【符号の説明】
【００５０】
１…トロリー型チェンブロック（チェンブロック）
１Ｊ…吊り上げ用部位
１Ｔ…チェンブロック本体
２…レール構造
３、３３、５３、６３…荷物支持体
４、３４、５４、６４…本体
５、３５、５５、６５…載置部
６、５６…吊り上げ部
１０、６１０…荷物移動装置
３７、５７…専用台
３８、５８…凹状構造
５６Ｊ…チェンブロック係止部
５６Ｐ…位置調整構造
５９、６９…取っ手
６１１…制御部
Ｈ…スライド移動（横方向移動）
Ｌ…移動対象荷物（荷物）、米袋
Ｖ…昇降移動
【図１】
0003225090.tif 000003
【図２】
0003225090.tif 000004
【図３】
0003225090.tif 000005
【図４】
0003225090.tif 000006
【図５】
0003225090.tif 000007
【図６】
0003225090.tif 000008
【図７】
0003225090.tif 000009
【図８】
0003225090.tif 000010
【図９】
0003225090.tif 000011
【図１０】
0003225090.tif 000012
【図１１】
0003225090.tif 000013